(57)【特許請求の範囲】
【請求項１】
液保持性の吸収層及び液不透過性の防漏層を有する吸収性物品において、該吸収性物品の所定部位に、着用者の皮膚に対して所定の効能を有する薬剤及び該薬剤の着用者への皮膚への浸透を促進させる脂肪族エーテル系浸透促進剤が施されており、
前記脂肪族エーテル系浸透促進剤は、以下の一般式（１）で表されるものである吸収性物品。
【化１】
0003995388.tif 000005
【請求項２】
前記防漏層と共に前記吸収層を挟持する液透過性の表面層を更に有し、該表面層に前記薬剤及び前記浸透促進剤が施されている請求項１記載の吸収性物品。
【請求項３】
前記浸透促進剤は、その溶解度パラメータ値が１５〜１７である請求項１又は２に記載の吸収性物品。
【請求項４】
前記薬剤及び前記浸透促進剤が施されている前記部位に、該薬剤及び該浸透促進剤と共に該浸透促進剤のゲル化剤が施されている請求項１〜３の何れかに記載の吸収性物品。
【請求項５】
遠心脱水法による生理食塩水の吸水量が３０ｇ／ｇ以上である高吸収性ポリマーが、前記吸収層に含有されている請求項１〜４の何れかに記載の吸収性物品。
【発明の詳細な説明】
【０００１】
【発明の属する技術分野】
本発明は、薬剤の移行量が少量であっても、着用者の皮膚のかぶれや炎症が抑制・治癒される吸収性物品に関する。
【０００２】
【従来の技術及び発明が解決しようとする課題】
着用者の皮膚のかぶれの防止を目的とした吸収性物品として、例えば特表平１０−５０９８９５号公報及び特表平１０−５０９８９６号公報に記載のものが知られている。これらの公報には、エモリエント剤を含むローション剤がトップシートに塗られている使い捨ておむつが記載されている。このローション剤は、前記エモリエント剤をトップシートに不動化させる不動化剤を含んでいる。
【０００３】
しかし、前記公報に記載の使い捨ておむつでは、前記エモリエント剤がトップシートに不動化されているので、該エモリエント剤は着用者の皮膚へ移行しにくい状態となっている。従って、トップシートに施されている前記エモリエント剤は、その全量が皮膚の消炎作用に有効に寄与できず効率的とはいえない。更にエモリエント剤を固定化するための不動化剤の性質によってローション剤が硬くなり、皮膚に小さな傷が生じ易くなって、これがカブレを誘発する原因となる。
【０００４】
これとは別に、前記エモリエント剤として脂肪族エステル系の物質が知られている。しかし、この物質は熱的安定性が高いとはいえないので、吸収性物品の製造工程における前記エモリエント剤の溶融・塗工工程、特にエモリエント剤をタンク内において繰り返しかつ長時間加熱する工程で分解してしまい、刺激性が強く悪臭のする低級脂肪酸が発生する。
【０００５】
従って、本発明は、薬剤の移行量が少量であっても、着用者の皮膚のかぶれや炎症を抑制・治癒し得る吸収性物品を提供することを目的とする。
【０００６】
【課題を解決するための手段】
本発明は、液保持性の吸収層及び液不透過性の防漏層を有する吸収性物品において、該吸収性物品の所定部位に、着用者の皮膚に対して所定の効能を有する薬剤及び該薬剤の着用者への皮膚への浸透を促進させる脂肪族エーテル系浸透促進剤が施されている吸収性物品を提供することにより前記目的を達成したものである。
【０００７】
【発明の実施の形態】
以下、本発明の吸収性物品の好ましい実施形態を、該吸収性物品として使い捨ておむつを例にとり図面を参照して説明する。
【０００８】
本実施形態の使い捨ておむつ１は、図１に示すように、不織布や有孔フィルム等からなる液透過性の表面層としての表面材２と、液不透過性の防漏層としての裏面材３と、表面材２及び裏面材３間に介在される液保持性の吸収層としての吸収体４とを有して構成されている。吸収体４は、おむつ１の股下領域に対応する領域がくびれた砂時計形状に湾曲形成され、表面材２及び裏面材３も、吸収体４の形状に即しておむつ１の股下領域に対応する領域が湾曲形成されている。そして、吸収体４は、表面材２及び裏面材３によって挟持・固定されている。
【０００９】
吸収体４の前後および左右端縁部から外方に延出する表面材２及び裏面材３によって形成される背側および腹側のウエスト部５，５’と一対のレッグ部６，６とには、おむつ１を着用した際に、ウエスト部５，５’とレッグ部６，６とを着用者の身体にフィットさせるための弾性伸縮部材７が、表面材２及び裏面材３によって固定されて設けられている。背側のウエスト部５の幅方向両端にはそれぞれテープファスナー等からなる一対の止着具８が取り付けられており、また、腹側のウエスト部５’における裏面材３上には矩形状のランディングテープ等からなる被着具（図示せず）が貼付されている。そして、本実施形態の使い捨ておむつ１が着用される際に、止着具８，８が被着具上に止着するようになされている。おむつ１を構成するこれらの部材としては、従来の使い捨ておむつに用いられているものと同様のものが用いられる。
【００１０】
吸収体４は、高吸収性ポリマーの粒子及び不織布を有している。高吸収性ポリマーの粒子は不織布の繊維間間隙に保持されている。高吸収性ポリマーの粒子を保持した不織布は、薄葉紙１１によってその全面が被覆されている。これによって吸収体４が構成されている。このような構成の吸収体４は、パルプ及び高吸収性ポリマーの粒子を主体として構成される従来の吸収体に比して極めて薄いものとなる。不織布を構成する繊維としては、レーヨン繊維やコットン、酢酸セルロース等の親水性繊維、ポリエチレン、ポリプロピレン等のポリオレフィン系繊維、ポリエステル、ポリアミド等の縮合系繊維、塩化ビニル、酢酸ビニル等のビニルモノマー重合体の繊維等が挙げられる。これらの繊維のうち疎水性のものは、油剤等の処理により親水化して用いても良い。
【００１１】
本発明において用いられる高吸収性ポリマーは、その遠心脱水法による生理食塩水の吸水量が、好ましくは３０ｇ／ｇ以上、更に好ましくは３０〜４５ｇ／ｇ、一層好ましくは３５〜４５ｇ／ｇである。前記吸水量が３０ｇ／ｇ未満の高吸収性ポリマーを用いると、吸収力を向上させるために吸収体４中のポリマー量を増加させる必要があり経済的でなく、また厚型のオムツになってしまい携帯性に欠けることがある。前記吸水量は以下の方法で測定される。
【００１２】
＜高吸収性ポリマーの遠心脱水法による吸水量の測定方法＞
高吸収性ポリマー１ｇを生理食塩水１５０ｍｌで３０分間膨潤させた後、２５０メッシュのナイロンメッシュ袋に入れ、遠心分離機にて１４３Ｇで１０分間脱水し、脱水後の全体重量を測定する。次いで、以下の式（１）に従って遠心脱水法による吸水量（ｇ／ｇ）を算出する。
【００１３】
【数１】
0003995388.tif 000002
【００１４】
前記高吸収性ポリマーとしては、前記の特性を満足するものであれば特に制限されないが、具体的には例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられる。尚、前記の特性を満たすようにするためには、例えば、高吸収性ポリマーの粒子表面に架橋密度勾配を設けたり、高吸収性ポリマーの粒子を非球形状の不定形粒子とすればよく、具体的には特開平７−１８４９５６号公報の第７欄２８行〜第９欄第６行に記載の方法を用いることができる。
【００１５】
更に、本発明において用いられる高吸収性ポリマーは、以下の方法で測定される液通過時間が、２０秒以下、特に２〜１５秒であることが、ゲルブロッキングの発生及びそれに起因する吸収性能の低下を防止し、また、吸収が間に合わないことに起因する液の素抜け及び漏れの発生を防止する点から好ましい。液通過時間は以下の方法で測定される。
【００１６】
＜液通過時間の測定方法＞
断面積４．９１ｃｍ2 （内径２５ｍｍφ）で底部に開閉自在のコック（内径４ｍｍφ）が設けられた円筒内に、該コックを閉鎖した状態で、高吸収性ポリマー０．５ｇを生理食塩水と共に充填し、該生理食塩水により該高吸収性ポリマーを飽和状態に達するまで膨潤させる。膨潤した該高吸収性ポリマーが沈降した後、該コックを開き、生理食塩水５０ｍｌを通過させる。該生理食塩水５０ｍｌが通過するのに要した時間を測定し、この時間を液通過時間とする。
【００１７】
本実施形態のおむつ１においては、表面材２に、着用者の皮膚に対して所定の効能を有する薬剤及び該薬剤の着用者への皮膚への浸透を促進させるエーテル系浸透促進剤が施されている。これによって、前記薬剤の移行量がたとえ少量であっても、該薬剤が皮膚へ十分に促進するので、該薬剤の効能が十分に発揮されて、着用者の皮膚のかぶれや炎症が効果的に抑制・治癒される。
【００１８】
前記薬剤としては、着用者の皮膚に対して所定の効能を有する物質であれば特に制限無く用いることができる。例えばスクワラン、スクワレン、１，３−ブチレングリコール、プロピレングリコール、グリセリン等の保湿剤、着用者の皮膚に対してスキンケア効果を有する植物エキス、グアイアズレン、タンニン、没食子酸誘導体等の消炎剤、その他化粧品用油剤として用いられている、イソプロピルミリスチル、イソプロピルプロパノール、ワセリン、セタノール、ステアリルアルコール、2-エチルヘキサン酸トリグリセリド等が挙げられる。本明細書において、「スキンケア効果」とは、皮膚のかぶれ防止や消炎等の皮膚の状態を正常にする効能全般を意味する。また、前述した特表平１０−５０９８９５号公報及び特表平１０−５０９８９５号公報に記載のエモリエント剤を前記薬剤として用いることもできる。
【００１９】
特に前記薬剤として植物エキスを用いる場合には、着用者の皮膚に対してスキンケア効果を有すると共に吸収体４に含まれている高吸収性ポリマーに対して実質的に分解作用を有さないものを用いることが好ましい。「高吸収性ポリマーに対して実質的に分解作用を有さない」とは、高吸収性ポリマーに対して全く分解作用を有さない場合、及び高吸収性ポリマーの有する吸水性能を実質的に低下させない程度の低い分解作用を有する場合の双方を包含する。斯かる植物エキスを施すことで、着用者から排出された体液、例えば尿や汗によって起こり得る皮膚のかぶれや炎症が抑制され、またかぶれや炎症が起こった場合にそれらが治癒される。更に、吸収体４に含まれている高吸収性ポリマーの分解及びそれに起因する吸収性能の低下が防止される。高吸収性ポリマーの分解防止は、本実施形態に用いられている吸収体４のように、高吸収性ポリマーの吸収容量が高い場合に特に効果的である。
【００２０】
前記植物エキスとしては、オーツ麦エキス、海藻エキス（ヒバマタ）、柚エキス、ハマメリスエキス、ワレモコウエキス、アスナロエキス、アロエエキス、オウバクエキス、スギナエキス、カミツレエキス、ユーカリエキス、桃エキス等が挙げられる。特に、植物エキスとして、柚エキス、ハマメリスエキス、アスナロエキス、アロエエキス、オウバクエキス及び桃エキスから成る群から選択される一種以上の物質を用いることで、スキンケア効果が一層高くなり、また高吸収性ポリマーの分解が一層抑制される。これらのうちでも、スキンケア効果の更に一層の向上及び高吸収性ポリマーの更に一層の分解抑制の点から、ハマメリスエキス又はアスナロエキスを用いることが好ましい。吸収性物品の製造工程で加熱処理を行う場合に防爆対応を要しない点から、前記植物エキスは、１，３−ブチレングリコール抽出物であることが好ましい。また、１，３−ブチレングリコール抽出物を用いることで、１，３−ブチレングリコールがおむつ１中に共存することになり、吸収性能の劣化が少なくなる。
【００２１】
前記薬剤と共に施される前記浸透促進剤としては脂肪族エーテル系浸透促進剤が用いられる。脂肪族エーテル系浸透促進剤は熱的に安定な物質なので、吸収性物品の製造工程において、所定のシートに加熱溶融状態で塗工される際に変性・分解しずらい。従って、該脂肪族エーテル系浸透促進剤は熱による作用低下が起こりにくく、該脂肪族エーテル系浸透促進剤の作用によって前記薬剤が着用者の皮膚に十分に浸透する。
【００２２】
前記脂肪族エーテル系浸透促進剤を施さずに、前記薬剤を多量に施すか、又は該薬剤の粘度を低下させることによって、該薬剤を着用者の皮膚に移行させることは可能であるが、その場合には経費が高くなり、またべたつき感等が生じておむつ１の感触が低下してしまう。そこで本発明においては、前記薬剤と共に前記浸透促進剤を施すことで、薬剤の移行量がたとえ少量であっても該薬剤が十分に皮膚に浸透して所望の効能が発揮される。
【００２３】
前記脂肪族エーテル系浸透促進剤としては、その溶解度パラメータ値（以下、ＳＰ値という）が１５〜１７、特に１６〜１６．８の物質を用いることが好ましい。ＳＰ値が前記範囲内であることによって、べたつきが低くさらっとした感触のおむつとなる。
【００２４】
好ましく用いられる前記脂肪族エーテル系浸透促進剤としては、以下の一般式（１）で表されるものが挙げられる。特に一般式（２）又は（３）で表されるものが好ましい。
【００２５】
【化１】
0003995388.tif 000003
【００２６】
前記一般式（１）で表される脂肪族エーテル系浸透促進剤の具体例としては、ミリスチル−１，３−ジメチルブチルエーテル、パルミチル−１，３−ジメチルブチルエーテル、ステアリル−１，３−ジメチルブチルエーテル、パルミチル−３−メチルプロピルエーテル、ステアリル−３−メチルプロピルエーテル等が挙げられる。
【００２７】
前記薬剤及び前記浸透促進剤は、表面材２における少なくとも液の主吸収領域に施されている。「液の主吸収領域」とは、股下部からその前後方向へ延びる領域であり、表面材２における周縁部を除く意味である。勿論、表面材２の全面に亘って前記薬剤及び前記浸透促進剤が施されていてもよい。更には、立体ガード形成用の不織布、レッグ部、ウエスト部等の、おむつ内面における身体に接触し得る部分であれば、いずれの部分に施しても良い。
【００２８】
種類によって異なるが、前記薬剤は、表面材２の前記主吸収領域において、１ｇ／ｍ2 〜２０ｇ／ｍ2 、好ましくは３ｇ／ｍ2 〜１０ｇ／ｍ2 の量で塗工されていることが、経済的に見合う範囲で十分な効果が発現し、また触感や吸収性能の点から好ましい。
【００２９】
一方、前記浸透促進剤は、前記薬剤１重量部に対して３〜３０重量部、特に５〜１５重量部施されていることが、経済的に見合う範囲で十分な効果が発現し、更に安全性を確保する点から好ましい。
【００３０】
前記薬剤及び前記浸透促進剤は、これらを均一に混合し、得られた混合物を表面材２に塗布する等の手段によって施すことができる。
【００３１】
前記薬剤及び前記浸透促進剤が施されている部位、本実施形態においては表面材２に、該薬剤及び該浸透促進剤と共に該浸透促進剤のゲル化剤が施されていることが好ましい。前記浸透促進剤は、場合によっては吸収体４に含まれている高吸収性ポリマーの吸収性能を低下させるおそれがある。しかし、前記ゲル化剤によって前記浸透促進剤をゲル化させることで、該浸透促進剤が高吸収性ポリマーへ過度に拡散することが防止され、高吸収性ポリマーの吸収性能の低下が効果的に防止される。
【００３２】
前記ゲル化剤としては、前記浸透促進剤の拡散・移行を抑制し得る物質が用いられ、例えばパラフィンワックス、脂肪酸（Ｃ12〜Ｃ22）、脂肪族アルコール（Ｃ12〜Ｃ22）、ワセリン、脂肪酸ソルビタンエステル（モノ、ジ、トリ）、ポリオキシエチレン脂肪酸ソルビタンエステル等が挙げられる。
【００３３】
前記ゲル化剤は、前記浸透促進剤１００重量部に対して１０〜２００重量部、特に５０〜１００重量部施されていることが、経済性、触感、加工性の点から好ましい。
【００３４】
本実施形態のおむつ１においては、前記薬剤及び前記浸透促進剤が施されている部位に、前述したゲル化剤に加えて別の成分を施してもよい。そのような成分としては、例えば前記薬剤及び前記浸透促進剤を施す際に用いられる、これらの剤を含む混合物の粘度を調整するための粘度調整剤としての流動パラフィン、シリコーンオイル、動植物油（スクワラン、オリーブ油、ホホバ油、ベニバナ油）、モノ、ジ又はトリグリセライド等が挙げられる。前記薬剤、前記浸透促進剤、前記ゲル化剤、及び前記粘度調整剤の混合物の常温（２０℃）におけるＪＩＳ硬度は２０〜５０であることが皮膚への薬剤移行性と触感とを両立できる点から好ましい。
【００３５】
本実施形態のおむつ１においては、前記薬剤及び前記浸透促進剤が施されている部位に、肌を滑らかにあるいは乾燥させる目的で、シッカロール、タルク、酸化チタン、シリコーンビーズ、ナイロンビーズ等の有機又は無機の微粒子を含有させても良い。該微粒子の粒径は０．０５〜５０μｍ、特に１〜２０μｍであることが前記目的が十分に達成される点から好ましい。
【００３６】
本発明は、前記実施形態に制限されない。例えば、吸収体４に、従来のおむつに一般的に用いられているパルプを含有させてもよい。この場合、パルプ１００重量部に対し、高吸収性ポリマーの量は５〜３００重量部であることが好ましい。
【００３７】
また、本発明の吸収性物品は、前述した使い捨ておむつに限られず、生理用ナプキン、失禁パッド、パンティライナー、おりものシート等の他の吸収性物品にも同様に適用できる。
【００３８】
【実施例】
以下の例中、特に断らない限り「％」及び「部」は、それぞれ「重量％」及び「重量部」を意味する。
【００３９】
〔実施例１〜５〕
表１に示す各種植物エキス１部、ポリオキシエチレンアルキルエーテル（界面活性剤）２部、表１に示す浸透促進剤、パラフィンワックス（ゲル化剤）５０部及び粘度調整剤としての流動パラフィン４７部を均一に混合し、混合物を得た（混合物の２０℃におけるＪＩＳ硬度３５）。芯がポリプロピレンで鞘がポリエチレンからなる芯鞘型複合繊維（２．２ｄｔｅｘ、５１ｍｍ）からなるエアスルー不織布の全面に前記混合物を塗布した。これにより植物エキス及びミリスチル−１，３−ジメチルエーテルが施された表面材を得た。前記混合物の塗布量は１０ｇ／ｍ2 であった。
【００４０】
これとは別に、芯がポリプロピレンで鞘がポリエチレンからなる芯鞘型複合繊維（２．２ｄｔｅｘ、５１ｍｍ）と、ポリエチレンテレフタレート繊維（２．２ｄｔｅｘ、５１ｍｍ）とを重量比７０／３０の比率で混綿し、坪量３０ｇ／ｍ2 のエアスルー不織布を作製した。この不織布上に、高吸水性ポリマーの粒子を２００ｇ／ｍ2 の坪量となるように散布し、該不織布の繊維間に高吸水性ポリマーの粒子を保持させた。次いで、この不織布上下面を坪量１５ｇ／ｍ2 の薄葉紙で包んで吸収体を得た。高吸収性ポリマーについての前記吸水量は表１に示す通りである。
【００４１】
この吸収体の片面に前記表面材を配し、他の面に裏面材としてポリエチレン製フィルムを配した。更に、公知の止着具、弾性伸縮部材等を配して、図１に示す形態の使い捨ておむつを得た。
【００４２】
〔実施例６〕
実施例１における植物エキスに代えて、表１に示す薬剤を用いる以外は実施例１と同様にして使い捨ておむつを得た。該薬剤の付着量は１０ｇ／ｍ2 であった。
【００４３】
〔比較例１〕
表１に示す植物エキス１部、ポリオキシエチレンアルキルエーテル２部、鉱物油５０部、パラフィンワックス４７部を均一に混合し、混合物を得た。芯がポリプロピレンで鞘がポリエチレンからなる芯鞘型複合繊維（２．２ｄｔｅｘ、５１ｍｍ）からなるエアスルー不織布の表面に、７０℃に加熱された前記混合物を塗布した。これにより植物エキスが施された表面材を得た。植物エキスの付着量は実施例１と同様とした。これ以外は実施例１と同様にして使い捨ておむつを得た。
【００４４】
〔比較例２〕
浸透促進剤として、ミリスチルイソプロパノールを用いる以外は実施例１と同様にして使い捨ておむつを得た。
【００４５】
〔性能評価〕
実施例及び比較例で得られた使い捨ておむつを１０名のモニターに装着して貰い、おむつかぶれの程度及び使用後の高吸収性ポリマーの溶解の程度を評価した。また、前記表面材に前記薬剤及び前記浸透促進剤を塗布した際の加工性を評価した。その結果を表１に示す。
【００４６】
【表１】
0003995388.tif 000004
【００４７】
表１に示す結果から明らかなように、実施例の使い捨ておむつ（本発明品）は、比較例のおむつに比して、おむつかぶれが抑制されていることが判る。また、高吸収性ポリマーの分解に起因する溶解も抑制されていることが判る。更に、前記薬剤及び前記浸透促進剤の前記表面材への塗布も良好であることが判る。尚、表には示していないが、実施例の使い捨ておむつはべたつき感が無くさらっとした感触を呈していた。
【００４８】
【発明の効果】
本発明の吸収性物品によれば、薬剤の移行量がたとえ少量であっても、着用者の皮膚のかぶれや炎症が抑制・治癒される。
【図面の簡単な説明】
【図１】本発明の吸収性物品の一実施形態としての使い捨ておむつを表面材側から見た一部破断平面図である。
【符号の説明】
１  使い捨ておむつ（吸収性物品）
２  表面材
３  裏面材
４  吸収体
【図１】
0003995388.tif 000006